Podtech/llm-jp-corpus-v4-ja_patent huggingface dataset:
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
複数の設備が直列に配置され、先頭設備で順次接続された材料群を処理する連続設備のの運転指示方法であって、
生産計画データ、操業実績データ、設備諸元及び操業条件が格納された記憶手段から、そのデータを取り込んで連続ラインの操業シミュレーションを行う工程と、
前記シミュレーションの結果を評価する工程と、
前記シミュレーションの結果評価に基づいて操業条件を変更する工程と、
変更された操業条件に基づいて設備の運転指示を行う工程と
を備え、
前記各工程を電子計算機により実行することを特徴とする連続設備の運転指示方法。
【請求項２】
複数の設備が直列に配置され、先頭設備で順次接続された材料群を処理する連続設備のの運転指示装置であって、
生産計画データが格納される第１の記憶手段と、
操業実績データが格納される第２の記憶手段と、
設備諸元が格納される第３の記憶手段と、
操業条件が格納される第４の記憶手段と、
前記生産計画データ、前記操業実績データ、前記設備諸元及び前記操業条件に基づいて連続ラインの操業シミュレーションを行う連続ライン操業シミュレータと、
前記シミュレーションの結果を評価する結果評価手段と、
前記シミュレーションの結果評価に基づいて操業条件を変更する操業条件変更手段と、
変更された操業条件に基づいて設備の運転指示を行う運転指示手段と
を備えたことを特徴とする連続設備の運転指示装置。
【請求項３】
入側に溶接機が配置され、中央に酸洗タンクが配置され、出側に検査室が配置され、入側と中央との間に入側ルーパーが配置され、中央と出側との間に出側ルーパーが配置され、入側の溶接機により順次接続された材料群を処理する酸洗ラインからなる連続設備の運転指示装置であって、
生産計画データが格納される第１の記憶手段と、
操業実績データが格納される第２の記憶手段と、
設備諸元が格納される第３の記憶手段と、
操業条件が格納される第４の記憶手段と、
前記生産計画データ、前記操業実績データ、前記設備諸元及び前記操業条件に基づいて連続ラインの操業シミュレーションを行う連続ライン操業シミュレータと、
前記シミュレーションの結果を評価する結果評価手段と、
前記シミュレーションの結果評価に基づいて操業条件を変更する操業条件変更手段と、
変更された操業条件に基づいて設備の運転指示を行う運転指示手段と
を備えたことを特徴とする連続設備の運転指示装置。
【請求項４】
請求項２又は３に記載の連続設備の運転指示装置の運転指示に従って設備を運転し、鋼板を製造することを特徴とする鋼板の製造方法。
【手続補正２】
【補正対象書類名】明細書
【補正対象項目名】発明の名称
【補正方法】変更
【補正の内容】
【発明の名称】連続設備の運転指示方法及びその装置並びに鋼板の製造方法
【手続補正３】
【補正対象書類名】明細書
【補正対象項目名】０００１
【補正方法】変更
【補正の内容】
【０００１】
本発明は、複数の設備が直列に配置されて、先頭設備で順次接続された材料群を処理する連続ラインからなる連続設備の運転指示方法及びその装置並びに鋼板の製造方法に関する。
【手続補正４】
【補正対象書類名】明細書
【補正対象項目名】０００８
【補正方法】変更
【補正の内容】
【０００８】
本発明は、上記のような問題点を解決するためになされたものであり、中央最低速度の制約等の厳しい制約を満足させつつ高効率を追求することを可能にした連続設備の運転指示方法及びその装置、並びにその連続設備の運転指示装置を用いた鋼板の製造方法を提供することを目的とする。
【手続補正５】
【補正対象書類名】明細書
【補正対象項目名】００１１
【補正方法】変更
【補正の内容】
【００１１】
本発明に係る連続設備の運転指示装置は、入側に溶接機が配置され、中央に酸洗タンクが配置され、出側に検査室が配置され、入側と中央との間に入側ルーパーが配置され、中央と出側との間に出側ルーパーが配置され、入側の溶接機により順次接続された材料群を処理する酸洗ラインからなる連続設備の運転指示装置であって、生産計画データが格納される第１の記憶手段と、 操業実績データが格納される第２の記憶手段と、 設備諸元が格納される第３の記憶手段と、操業条件が格納される第４の記憶手段と、前記生産計画データ、前記操業実績データ、前記設備諸元及び前記操業条件に基づいて連続ラインの操業シミュレーションを行う連続ライン操業シミュレータと、前記シミュレーションの結果を評価する結果評価手段と、前記シミュレーションの結果評価に基づいて操業条件を変更する操業条件変更手段と、変更された操業条件に基づいて設備の運転指示を行う運転指示手段とを備えたものである。
また、本発明に係る鋼板の製造方法は、上記の連続設備の運転指示装置の運転指示に従って設備を運転し、鋼板を製造する。
【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
配列番号１で示される塩基配列からなるプライマー、及び配列番号２で示される塩基配列からなるプライマーからなる、酵母及びカビ検出用プライマー。
【請求項２】
検出対象となる酵母及びカビが、サッカロマイセス・ショレビッシェ、ピキア・アノマラ、カンディダ・ファマタ、デバリオマイセス・ハンセニイ、ジグロサッカロマイセス・ロウキシ、カンディダ・インターメディア、クラビスポラ・ルジタニエ、クルイベロマイセス・ラクティス、シゾサッカロマイセス・ポンブ、ピキア・メンブラニファシエンス、ペニシリウム・オブラタム、ペニシリウム・サブロサム、アスペルギルス・ニガー、フサリウム・クルークウェレンス、ジェオトリカム・カンディダム、アルターナリア・アルタネータ、アウレオバシディウム・プルランス、クラドストリウム・クラドスポリオイドス、ユウロチウム・ハーバリオラム、及びタラロマイセス・バシリスポラスよりなる群から選択される少なくとも１種である、請求項１に記載の酵母及びカビ検出用プライマー対。
【請求項３】
検査対象物中の酵母及びカビを検出する方法であって、
(1)検査対象物に含まれるＤＮＡを抽出する工程、
(2)前記工程(1)抽出されたＤＮＡを鋳型として、請求項１又は２に記載のプライマー対を用いてＰＣＲを行なう工程、及び
(3)増幅されたＤＮＡ断片を検出する工程、を含有する検出方法。
【請求項４】
検査対象物が食品である、請求項３に記載の検出方法。
【請求項５】
請求項１又は２に記載のプライマー対を含有する、酵母及びカビ検出用キット。
【手続補正書】
【提出日】平成20年1月17日(2008.1.17)
【手続補正１】
【補正対象書類名】明細書
【補正対象項目名】００２３
【補正方法】変更
【補正の内容】
【００２３】
次に、図４（ａ）に示した縫付パターンの刺繍柄について、その補修方法を図５に従って説明する。シークイン縫いモードにおいて、刺繍柄の加工途中に糸切れが発生すると、それ以降のシークインＳは加工布Ｗに縫い付けられず、刺繍枠８の振動等で散逸して刺繍柄から抜け落ちる。図５（ａ）は、第７針目のジャンプ信号ＳＪにより供給されたシークインＳが刺繍柄から抜け落ちた状態を示す。この状態に気づいた作業者は、テーブル７下側の起動／停止スイッチ２６を停止側へ操作し、刺繍ミシン１を停止させる。
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
不織布製の基板及び該基板の一面に該基板の一部を突出させて形成した多数の突起を有する使い捨てブラシにおいて、
前記基板の中央部に位置する複数の前記突起それぞれの基面の面積が、該基板の周縁部近傍に位置する複数の前記突起それぞれの基面の面積より大きい使い捨てブラシ。
【請求項２】
前記突起の基面の面積が、前記基板における周縁部近傍から中央部に向かうにつれて、大きくなされている請求項１に記載の使い捨てブラシ。
【請求項３】
前記突起は、前記基板の中央部における配置密度が、該基板の周縁部近傍における配置密度よりも疎になるように配設されている請求項１又は２に記載の使い捨てブラシ。
【請求項４】
不織布製の基板及び該基板の一面に該基板の一部を突出させて形成した多数の突起を有する使い捨てブラシにおいて、
前記突起は、前記基板の中央部における配置密度が、該基板の周縁部近傍における配置密度よりも疎になるように配設されている使い捨てブラシ。
【請求項５】
前記突起の配置密度が、前記基板における周縁部近傍から中央部に向かうにつれて、疎になされている請求項４に記載の使い捨てブラシ。
【請求項６】
前記突起は、円錐台の上面に、該上面と等しい形状の底面を有し、該底面に対する周面の角度が該円錐台における該角度より大きい円錐状体を、該上面と該底面とを一致させて結合した形状である請求項１〜５の何れかに記載の使い捨てブラシ。
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
遊技媒体の始動入賞を検知したことを契機として入賞信号を出力する入賞検出手段と、遊技動作を制御するとともに、前記入賞検出手段から前記入賞信号を受け取って前記遊技媒体の払出動作を指示するための賞球信号を出力する主制御基板と、前記主制御基板から前記賞球信号を受け取ると前記遊技媒体の払出動作を制御するとともに、前記賞球信号を受け取った確認としての応答信号を前記主制御基板に向けて出力する払出制御基板と、前記主制御基板が前記賞球信号を出力した後、前記応答信号の受け待ちをしているべき受け待ち時間が経過するまでの間に前記応答信号を受信できなかった場合、前記主制御基板から前記払出制御基板に対して、前記主制御基板と前記払出制御基板との電気的な接続状態が正常であるか否かを確認するチェックコマンドを送信するチェックコマンド送信手段と、前記チェックコマンド送信手段が前記チェックコマンドを送信する度に次の前記受け待ち時間の長さに関する設定を変更する設定変更手段とを備えることを特徴とする遊技機。
【手続補正書】
【提出日】平成19年12月7日(2007.12.7)
【手続補正１】
【補正対象書類名】明細書
【補正対象項目名】特許請求の範囲
【補正方法】変更
【補正の内容】
【特許請求の範囲】
【請求項１】 本質的に、（Ａ）殺生物剤１ないし７５重量％および（Ｂ）ポリエステル
担体樹脂９９ないし２５重量％からなる殺生物剤−ポリエステル濃縮物。
【請求項２】 成分（Ａ）の殺生物剤が２，４，４'−トリクロロ−２'−ヒドロキシジフ
ェニルエーテルである請求項１記載の殺生物剤−ポリエステル濃縮物。
【請求項３】 （Ｉ）ポリマー基材および（ＩＩ）請求項１記載の殺生物剤−ポリエステ
ル濃縮物の有効殺生物量からなる、耐変色性である殺生物活性ポリマー組成物。
【手続補正書】
【提出日】平成20年5月28日(2008.5.28)
【手続補正１】
【補正対象書類名】明細書
【補正対象項目名】特許請求の範囲
【補正方法】変更
【補正の内容】
【特許請求の範囲】
【請求項１】
泳動試料を含む担体を裁置した担体据え置き部を有し、当該担体に接触する緩衝液を担体据え置き部両側の電極を含む周辺に貯留した液槽を備えた泳動槽と前記泳動槽を覆うように配置した蓋部よりなるサブマリンタイプの電気泳動装置において、
試料を光学的に認識するための外部から照射する照明光を出力する照射出力手段、前記照射出力手段の照明光を前記担体に照射する為に照明光透過部材を担体据え置き部又は蓋部に一体的に備え、前記照射部材を通過又は反射した照明光を外部で観察可能な状態にするために支障がある照明光の一部を不透過とする不透過部材を一体的に備えた電気泳動装置。
【請求項２】  
前記照明光が紫外線である請求項１に記載の電気泳動装置。
【請求項３】  
前記不透過部材が紫外線不透過部材である請求項１に記載の電気泳動装置。
【請求項４】  
前記蓋部は、前記担体据え置き部上の担体と接触した状態である請求項１に記載の電気泳動装置。
【請求項５】
前記担体を通過した照明光を所定の方向へ反射させる反射部材を備えた請求項１に記載の電気泳動装置。
【手続補正書】
【提出日】平成20年4月4日(2008.4.4)
【手続補正１】
【補正対象書類名】明細書
【補正対象項目名】特許請求の範囲
【補正方法】変更
【補正の内容】
【特許請求の範囲】
【請求項１】  静電力を発生させる電極部を有する基板部と、静電気の作用を受けることのできる枠部とを備えており、前記枠部が光学レンズと連結しており、静電駆動の作用によって前記光学レンズを駆動可能な光学コンポーネントにおいて、前記基板部に穴を形成したことを特徴とする光学コンポーネント。
【請求項２】  前記光学レンズが以下の条件を満たすことを特徴とする請求項１記載の光学コンポーネント。
ｍ2 ＜３０（ｍｇ）                                    ・・・（１）
ただし、ｍ2 は前記光学レンズの質量である。
【請求項３】  請求項１又は２記載の光学コンポーネントを備えていることを特徴とする内視鏡。
【請求項４】  前記光学レンズが正パワーを有することを特徴とする請求項３記載の内視鏡。
【請求項５】  前記光学レンズの駆動により光学特性が以下の条件を満たすことを特徴とする請求項３記載の内視鏡。
ＷＤwide＞ＷＤtele                                  ・・・（２２）
ｆLwide ≧ｆLtele                                   ・・・（２３）
ただし、ｆLwide 、ＷＤwideは各々通常観察時の光学系全系の焦点距離と作動距離、ｆLtele 、ＷＤteleは各々近接観察時の光学系全系の焦点距離と作動距離である。
【請求項６】  前記枠部の周辺が前記光学レンズと略同形状であることを特徴とする請求項１又は２記載の光学コンポーネント。
【請求項７】  前記基板の周辺が前記光学レンズと略同形状であることを特徴とする請求項１又は２記載の光学コンポーネント。
【請求項８】  前記穴の中に別の光学系が貫通していることを特徴とする請求項１又は２記載の光学コンポーネント。
【請求項９】  前記光学レンズの前に明るさ絞りを配置したことを特徴とする請求項１又は２記載の光学コンポーネント。
【請求項１０】  物体側から順に、正パワーを有する第１レンズ群、正パワーを有する第２レンズ群、負パワーを有する第３レンズ群を備えた光学系において、第２レンズ群と連結している枠部と電極部を有する基板部とをさらに備え、前記枠部は前記電極部による静電力の作用を受けて前記第２レンズ群を駆動させることにより、光学系の作動距離を可変とすることを特徴とする内視鏡光学系。
【請求項１１】  前記第２レンズ群が以下の条件を満たすことを特徴とする請求項１０記載の内視鏡光学系。
１＜（１−β2 ）・βR 2                             ・・・（１７）
ただし、βは前記第２レンズ群の倍率、βR は前記第３レンズ群の倍率である。
【請求項１２】  前記第２レンズ群が以下の条件を満たすことを特徴とする請求項１０記載の内視鏡光学系。
１．８＜（１−β2 ）・βR 2                         ・・・（１６）
ただし、βは前記第２レンズ群の倍率、βR は前記第３レンズ群の倍率である。
【請求項１３】  前記第２レンズ群が以下の条件を満たすことを特徴とする請求項１０〜１２の何れか１項記載の内視鏡光学系。
１＜ｆ2 ／ｆLwide                                   ・・・（１８）
ｆ2 ／ｆLtele ＜２．９                              ・・・（１９）
ただし、ｆLwide は通常観察時の光学系全系の焦点距離、ｆLtele は近接観察時の光学系全系の焦点距離、ｆ2 は前記第２レンズ群の焦点距離である。
【請求項１４】  前記第２レンズ群が以下の条件を満たすことを特徴とする請求項１０〜１３の何れか１項記載の内視鏡光学系。
ｍ2 ＜３０（ｍｇ）                                    ・・・（１）
ただし、ｍ2 は前記第２レンズ群の質量である。
【請求項１５】  物体側から順に、正パワーを有する第１レンズ群と、正パワーを有する第２レンズ群を備えた光学系において、第２レンズ群と連結している枠部と電極部を有する基板部とをさらに備え、前記枠部は前記電極部による静電力の作用を受けて前記第２レンズ群を駆動させることにより、光学系の作動距離を可変とすることを特徴とする内視鏡光学系。
【請求項１６】  前記第２レンズ群が以下の条件を満たすことを特徴とする請求項１５記載の内視鏡光学系。
０．９＜（１−β2 ）                                ・・・（１４）
ただし、βは前記第２レンズ群の倍率である。
【請求項１７】  前記第２レンズ群が以下の条件を満たすことを特徴とする請求項１５又は１６記載の内視鏡光学系。
ｍ2 ＜３０（ｍｇ）                                    ・・・（１）
ただし、ｍ2 は前記第２レンズ群の質量である。
【請求項１８】  前記第２レンズ群が以下の条件を満たすことを特徴とする請求項１５〜１７の何れか１項記載の内視鏡光学系。
１＜ｆ2 ／ｆLwide                                   ・・・（１８）
ｆ2 ／ｆLtele ＜２．９                              ・・・（１９）
ただし、ｆLwide は通常観察時の光学系全系の焦点距離、ｆLtele は近接観察時の光学系全系の焦点距離、ｆ2 は前記第２レンズ群の焦点距離である。
【請求項１９】  前記第２レンズ群の駆動により光学特性が以下の条件を満たすことを特徴とする請求項１０〜１８の何れか１項記載の内視鏡光学系。
ＷＤwide＞ＷＤtele                                  ・・・（２２）
ｆLwide ≧ｆLtele                                   ・・・（２３）
ただし、ｆLwide 、ＷＤwideは各々通常観察時の光学系全系焦点距離と作動距離、ｆLtele 、ＷＤteleは各々近接観察時の光学系全系焦点距離と作動距離である。
【手続補正書】
【提出日】平成20年3月27日(2008.3.27)
【手続補正１】
【補正対象書類名】明細書
【補正対象項目名】特許請求の範囲
【補正方法】変更
【補正の内容】
【特許請求の範囲】
【請求項１】  ダンパシリンダ内に挿入したピストンロッドの外周にピストンを設け、
前記ピストンに両側の油室を連通する圧側油路と伸側油路を設け、
前記圧側油路の口端に、バルブスプリングのばね力により該圧側油路の口端に着座せしめられる環状の圧側チェックバルブを移動自在に設け、
前記伸側油路の口端に伸側バルブを設けた油圧緩衝器において、
前記圧側チェックバルブの背面側に、前記圧側チェックバルブが衝当することにより撓む、前記圧側チェックバルブより小径の弾性体を、該圧側チェックバルブとの間に隙間を介して設けたことを特徴とする油圧緩衝器のチェックバルブ構造。
【請求項２】  前記弾性体を前記ピストンロッドの外周に嵌着して固定した請求項１に記載の油圧緩衝器のチェックバルブ構造。
【請求項３】  前記弾性体の外周側に、前記圧側チェックバルブの外周部の撓みを規制する外周ストッパ部を設け、該外周ストッパ部にて前記弾性体の前記圧側チェックバルブによる撓みを規制するようにした請求項１又は２に記載の油圧緩衝器のチェックバルブ構造。
【請求項４】  前記弾性体の外周側に、前記圧側チェックバルブの外周部の撓みを規制する外周ストッパ部を設け、該外周ストッパ部を、前記撓み状態にある弾性体よりも、前記ピストンの対向する端面から軸方向に離隔する位置に設けた請求項１又は２に記載の油圧緩衝器のチェックバルブ構造。
【請求項５】  前記弾性体がＯリングである請求項１〜４のいずれかに記載の油圧緩衝器のチェックバルブ構造。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項１の発明は、ダンパシリンダ内に挿入したピストンロッドの外周にピストンを設け、前記ピストンに両側の油室を連通する圧側油路と伸側油路を設け、前記圧側油路の口端に、バルブスプリングのばね力により該圧側油路の口端に着座せしめられる環状の圧側チェックバルブを移動自在に設け、前記伸側油路の口端に伸側バルブを設けた油圧緩衝器において、前記圧側チェックバルブの背面側に、前記圧側チェックバルブが衝当することにより撓む、前記圧側チェックバルブより小径の弾性体を、該圧側チェックバルブとの間に隙間を介して設けたものである。
【手続補正４】
【補正対象書類名】明細書
【補正対象項目名】００１０
【補正方法】変更
【補正の内容】
【００１０】
請求項２の発明は、請求項１の発明において更に、前記弾性体を前記ピストンロッドの外周に嵌着して固定したものである。
【手続補正５】
【補正対象書類名】明細書
【補正対象項目名】００１１
【補正方法】変更
【補正の内容】
【００１１】
請求項３の発明は、請求項１又は２の発明において更に、前記弾性体の外周側に、前記圧側チェックバルブの外周部の撓みを規制する外周ストッパ部を設け、該外周ストッパ部にて前記弾性体の前記圧側チェックバルブによる撓みを規制するようにしたものである。
【手続補正６】
【補正対象書類名】明細書
【補正対象項目名】００１２
【補正方法】変更
【補正の内容】
【００１２】
請求項４の発明は、請求項１又は２の発明において更に、前記弾性体の外周側に、前記圧側チェックバルブの外周部の撓みを規制する外周ストッパ部を設け、該外周ストッパ部を、前記撓み状態にある弾性体よりも、前記ピストンの対向する端面から軸方向に離隔する位置に設けたものである。
【手続補正７】
【補正対象書類名】明細書
【補正対象項目名】００１３
【補正方法】変更
【補正の内容】
【００１３】
請求項５の発明は、請求項１〜４のいずれかの発明において更に、前記弾性体がＯリングであるようにしたものである。
【手続補正８】
【補正対象書類名】明細書
【補正対象項目名】００１４
【補正方法】変更
【補正の内容】
【００１４】
【作用】
請求項１の発明によれば下記(a)〜(d)の作用がある。
(a)高速で圧縮するとき、ピストン側室からロッド側室に流れる作動油が圧側チェックバルブに大きな開弁力を付与し、圧側チェックバルブは弾性体に衝当して弾性体を撓ませる。従って、圧側チェックバルブとピストンのシート面との間隔は弾性体の撓み分だけ大きくなり、圧側チェック弁とピストンのシート面の間の環状の流路を大きく確保し、硬さ感を減じる。
【手続補正９】
【補正対象書類名】明細書
【補正対象項目名】００１５
【補正方法】変更
【補正の内容】
【００１５】
(b)伸長行程への切換わり時には、弾性体の自身の復元力により、弾性体の撓み分の上記間隔を直ちに解消し、圧側チェックバルブが圧側流路を迅速に閉じて伸側減衰力の初期発生に遅れを生じない。
【手続補正１０】
【補正対象書類名】明細書
【補正対象項目名】００１６
【補正方法】変更
【補正の内容】
【００１６】
(c)弾性体の材質、厚みを種々選択することにより、弾性体のばね定数を変えることができ、圧側時における圧側チェックバルブとピストンのシート面との間の開口特性を調整できる。
【手続補正１１】
【補正対象書類名】明細書
【補正対象項目名】００１７
【補正方法】変更
【補正の内容】
【００１７】
(d)弾性体が嵌着固定されるガイド部材の直径を変更することにより、圧側チェックバルブの撓みの支点を変更することができ、圧側チェックバルブのばね特性を調整できる。
【手続補正１２】
【補正対象書類名】明細書
【補正対象項目名】００１８
【補正方法】変更
【補正の内容】
【００１８】
請求項２の発明によれば下記(e)、(f)の作用がある。
(e)弾性体は、ピストンロッド（又はピストンロッドの外周に設けたガイド部材）の外周に嵌着され、自身の弾性力により固定できるから、部品点数を削減できる。
【手続補正１３】
【補正対象書類名】明細書
【補正対象項目名】００１９
【補正方法】変更
【補正の内容】
【００１９】
(f)弾性体のガイド部材外周への嵌着力を適宜変更することにより、弾性体の初期撓み荷重を調整できる。
【手続補正１４】
【補正対象書類名】明細書
【補正対象項目名】００２０
【補正方法】変更
【補正の内容】
【００２０】
請求項３の発明によれば下記(g)の作用がある。
(g)弾性体の外周側にストッパ部を設け、高速圧縮時の圧側チェックバルブによる弾性体の撓みを一定の限度内に抑えることができる。従って、弾性体の過度の応力による劣化を防ぎ、寿命を長くできる。
【手続補正１５】
【補正対象書類名】明細書
【補正対象項目名】００２１
【補正方法】変更
【補正の内容】
【００２１】
請求項４の発明によれば下記(h)の作用がある。
(h)高速圧縮時に、圧側チェックバルブがピストンのシート面に対してなす間隔が、弾性体の撓みによる圧側チェックバルブの移動分に、圧側チェックバルブ自体の外周部の撓みによる変形分を加えられて拡大し、硬さ感を更に減じる。
【手続補正１６】
【補正対象書類名】明細書
【補正対象項目名】００２２
【補正方法】変更
【補正の内容】
【００２２】
請求項５の発明によれば下記(i)の作用がある。
(i)弾性体をＯリングで構成することによリ、規格品を流用してコスト低減できる。
【手続補正書】
【提出日】平成20年1月16日(2008.1.16)
【手続補正１】
【補正対象書類名】明細書
【補正対象項目名】特許請求の範囲
【補正方法】変更
【補正の内容】
【特許請求の範囲】
【請求項１】  大端部のコンロッド本体側又はキャップ側の一方にめねじ孔を形成し、他方にボルト挿通孔を形成し、ボルト挿通孔から挿入したボルトをめねじ孔に螺合することによりコンロッド本体とキャップとを締結するエンジンのコンロッドにおいて、
大端部のボルト中心線に対するクランクピン軸芯方向の両側部分を、軸芯方向幅が異なるように非対称に形成し、上記軸芯方向両側部分のうち、軸芯方向幅が広い部分に、コンロッド本体とキャップの位置決めを行なうノックピンを配置してあることを特徴とするエンジンのコンロッド。
【請求項２】  １本のクランクピンに、請求項１記載のコンロッドを２本取り付けると共に、各大端部のクランクピン軸芯方向両側部分のうち、軸芯方向幅が狭い部分をクランクピン中央部側に配置してあることを特徴とするエンジンのコンロッド取付構造。
【手続補正書】
【提出日】平成20年5月8日(2008.5.8)
【手続補正１】
【補正対象書類名】明細書
【補正対象項目名】００５０
【補正方法】変更
【補正の内容】
【００５０】
差分算出器３０５は、セレクタ３０４からの出力と中間制御信号との差分を取る。この差分算出器３０５からの差分出力は、コンパレータ３０６において、システム制御部３１より入力される誤差量設定信号と比較される。その結果、差分算出器３０５の差分出力が誤差量設定信号以下であるときは、セレクタ３０７において、入力される中間制御信号を選択することにより、中間制御信号をそのまま光源制御信号として出力する。一方、差分算出器３０５の差分出力が誤差量設定信号よりも大きいときは、セレクタ３０７において、セレクタ３０４からの出力を選択することにより、この出力を光源制御信号として出力する。なお、誤差量に応じて中間制御信号およびセレクタ３０４の出力を選択して出力することは、必ずしも必須ではないが、このように誤差量設定信号に応じて出力を選択するようにすれば、変化量設定信号の設定値によっては中間制御信号のレベルが一定であるにも関わらずセレクタ３０４の出力が安定せずに発振状態になってしまうという問題を防ぐことができるため、好ましい。なお誤差量は、発振状態を確実に防ぐために、変化量の半分の大きさに設定されるのが望ましい。
【手続補正書】
【提出日】平成20年5月23日(2008.5.23)
【手続補正１】
【補正対象書類名】明細書
【補正対象項目名】０００７
【補正方法】変更
【補正の内容】
【０００７】
目盛板３は、その表面に時刻目盛５或は図柄等（図示せず）が印刷され、又は透かし等が施され、或は表示信号発生基板２から前記時刻目盛等表示信号を受けて、該時刻目盛等表示信号により時刻目盛５或は日時や図柄等が表示されて、目視できるようになっている。なお、時刻目盛５或は図柄等は、目盛板３に印刷され又は透かし等が施された場合は目盛板３に表示しない。
【手続補正２】
【補正対象書類名】明細書
【補正対象項目名】００１４
【補正方法】変更
【補正の内容】
【００１４】
また、指針板４に表示される指針6a及び6bは、指針板４に例えば前記有機EL素子を用いて、前記画素を例えば１秒或は１分毎に選択して発光させて任意の形状（指針）を画像表示するマトリックス型表示であってもよく、あるいは、画素を細線状に配してなる表示セグメントであて、該表示セグメントが外側セグメントと内側セグメントとから成る例えば60本の表示セグメントを時刻目盛５の中心部から時刻目盛５に向けて放射状に配して、それを指針6a（長針）は１分毎に、指針6b（短針）は12分毎に右回転するように選択して発光させて任意の位置のセグメント（指針：長針は外側セグメントと内側セグメントとの両方、また、短針は内側セグメントのみ）を表示するセグメント型表示であってもよい。
【手続補正３】
【補正対象書類名】明細書
【補正対象項目名】００２８
【補正方法】変更
【補正の内容】
【００２８】
また、請求項６の発明は、薄型化、軽量化が図られるうえに斬新なデザインなどを容易にした前記電子時計に電波時計機能が備えられたので、極めて正確で、かつ薄く軽量で斬新なデザインのアナログ電子時計とすることができる。
【手続補正書】
【提出日】平成20年3月25日(2008.3.25)
【手続補正１】
【補正対象書類名】明細書
【補正対象項目名】特許請求の範囲
【補正方法】変更
【補正の内容】
【特許請求の範囲】
【請求項１】
正負の電極を含む発電要素を収納する電池容器と、発電要素の電極と接続するとともに、電池容器の一面に端子面が外方を向くように配設された電極端子と、電池容器及び外部回路と各々接続される第一及び第二の導電性接続部を有する電池保護素子とを備える電池装置であって、
電池保護素子が、電池容器の電極端子が配設される面に搭載されており、その第二導電性接続部が、電極端子の端子面と同方向を向いていることを特徴とする電池装置。
【手続補正書】
【提出日】平成20年3月19日(2008.3.19)
【手続補正１】
【補正対象書類名】明細書
【補正対象項目名】発明の名称
【補正方法】変更
【補正の内容】
【発明の名称】誘電体ペースト、ディスプレイ用部材の製造方法およびプラズマディスプレイパネル
【手続補正２】
【補正対象書類名】明細書
【補正対象項目名】特許請求の範囲
【補正方法】変更
【補正の内容】
【特許請求の範囲】
【請求項１】少なくとも一般式（１）で示される分散剤およびバインダー樹脂を含有することを特徴とする誘電体ペースト。
Ｒ１−Ｒ２−Ｒ３−Ｒ４ （１）
（Ｒ１、Ｒ４は水素、水酸基のいずれかであり、Ｒ２は１種以上のアルキレンオキサイド基からなるオリゴマー、Ｒ３は炭素数１〜２０のアルキル基、アリール基、アラルキル基のいずれかであり、同じであっても異なっていても良い）
【請求項２】一般式（１）で示される分散剤の分子量が４００〜２０００であることを特徴とする請求項１記載の誘電体ペースト。
【請求項３】一般式（１）で示される分散剤が、エチレンオキサイドオリゴマーを分子全体の５０〜８０重量％含むことを特徴とする請求項１または２に記載の誘電体ペースト。
【請求項４】さらに重合開始剤および架橋剤を含有し、熱または光によって硬化することを特徴とする請求項１〜３のいずれかに記載の誘電体ペースト。
【請求項５】 請求項１〜４のいずれかに記載の誘電体ペーストを用いて製造することを特徴とするディスプレイ用部材の製造方法。
【請求項６】請求項１〜４のいずれかに記載の誘電体ペーストを塗布、乾燥、焼成して設けられ、かつ１０点平均表面粗さが０．２μm〜０．８μmである誘電体層を有することを特徴とするプラズマディスプレイパネル。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
【課題を解決するための手段】すなわち本発明は、少なくとも一般式（１）で示される分散剤およびバインダー樹脂を含有することを特徴とする誘電体ペーストである。
Ｒ１−Ｒ２−Ｒ３−Ｒ４ （１）
（Ｒ１、Ｒ４は水素、水酸基のいずれかであり、Ｒ２は１種以上のアルキレンオキサイド基からなるオリゴマー、Ｒ３は炭素数１〜２０のアルキル基、アリール基、アラルキル基のいずれかであり、同じであっても異なっていても良い）、さらに前記誘電体ペーストを用いて製造したディスプレイ用部材の製造方法およびプラズマディスプレイパネルである。
【手続補正書】
【提出日】平成20年3月18日(2008.3.18)
【手続補正１】
【補正対象書類名】明細書
【補正対象項目名】特許請求の範囲
【補正方法】変更
【補正の内容】
【特許請求の範囲】
【請求項１】前面板と背面板からなるプラズマディスプレイパネルにおいて、背面板上に立設された隔壁が、上側隔壁部と下側隔壁部とからなり、上側隔壁部が光透過層であり、下側隔壁部が光反射層であり、かつ、隔壁の高さをＴとしたとき、上側隔壁部の高さが０．０１Ｔ〜０．５Ｔの範囲内であることを特徴とするプラズマディスプレイパネル。
【請求項２】上側隔壁部の光透過率が４０％以上であることを特徴とする請求項１記載のプラズマディスプレイパネル。
【請求項３】下側隔壁部の光反射率が４０％以上であることを特徴とする請求項１記載のプラズマディスプレイパネル。
【請求項４】さらに、光反射性を有し、かつ前記隔壁と直交する補助隔壁を有することを特長とする請求項１記載のプラズマディスプレイパネル。
【手続補正２】
【補正対象書類名】明細書
【補正対象項目名】００１０
【補正方法】変更
【補正の内容】
【００１０】
【発明の実施の形態】前面板と背面板からなるプラズマディスプレイパネルにおいて、背面板上に立設された隔壁が、上側隔壁部と下側隔壁部とからなり、上側隔壁部が光透過層であり、下側隔壁部が光反射層であり、かつ、隔壁の高さをＴとしたとき、上側隔壁部の高さが０．０１Ｔ〜０．５Ｔの範囲内であることを特徴とするプラズマディスプレイパネルによって達成される。
【手続補正書】
【提出日】平成20年1月17日(2008.1.17)
【手続補正１】
【補正対象書類名】明細書
【補正対象項目名】特許請求の範囲
【補正方法】変更
【補正の内容】
【特許請求の範囲】
【請求項１】
アーク長で大きさが規定される光源によって光を発し、上記アーク長の方向が光軸の方向と一致する発光部と、
上記光源の中心点と一方の楕円面焦点とが一致するように上記発光部を有し、上記光軸を中心とした回転楕円面によって上記光源の中心点から発した光線群を上記光軸上の他方の楕円面焦点に集光するランプリフレクターと、
上記ランプリフレクターで反射した光線群を平面形状の入射面および出射面を介して出射するランプ前面ガラスとを備えたランプにおいて、
上記ランプリフレクターの回転楕円面を光軸に対して回転対称な非球面反射面に変形するとともに、上記ランプ前面ガラスの入射面または出射面の少なくとも一方を光軸に対して回転対称な非球面レンズ面に変形し、
上記非球面反射面および上記非球面レンズ面によって、上記光源から発する各光線群に対してその各放射方向毎に異なるパワーをそれぞれ作用させ、上記ランプ前面レンズ出射面における発散角の分布を制御することを特徴とするランプ。
【請求項２】
ランプ前面レンズ出射面上の任意の点における出射光束の発散角を一定にして出射することを特徴とする請求項１記載のランプ。
【請求項３】
請求項１または請求項２記載のランプと、上記ランプから出射して非球面レンズ面の集光点に集光した光を入射面で受光し、側面で全反射を繰り返した光を出射面から出射するインテグレーター光学系とから構成されることを特徴とする集光光学系。
【請求項４】
インテグレーター光学系は、矩形形状の入射面および出射面を有する四角柱であるとともに、
上記インテグレーター光学系の上記入射面と等しい矩形形状の面積を有し、上記入射面と一致するように固定された出射開口と、
上記出射開口よりも大きな矩形形状の面積を有し、ランプから出射した光線群が入射する入射開口と、
上記インテグレーター光学系の光軸を囲むようにその反射面が形成された４枚の平面鏡とから構成され、
上記入射面へ直接入射する光線群以外の光線群の少なくとも一部を上記反射鏡での１回反射によって上記出射開口へ出射するダクト状ミラーを備えることを特徴とする請求項３記載の集光光学系。
【請求項５】  
請求項３または請求項４記載の集光光学系と、
上記集光光学系から出射した光をリレーするリレー光学系と、
上記リレー光学系によってリレーされた光に画像情報を与えて出射する光変調素子と、
上記画像情報を得て上記光変調素子から出射した光を投影する投影光学系と、
上記投影光学系から投影された光を受光して、上記画像情報に基づく画像を表示するスクリーンとを備えることを特徴とする画像表示装置。
【請求項６】
光変調素子は、
複数の小ミラーを備えるとともに、リレー光学系から照射された光に対して上記小ミラーで画像情報を与え、上記画像情報が与えられた光を画像情報光として投影光学系へ出射する反射型光変調手段とすることを特徴とする請求項５記載の画像表示装置。
【請求項７】
光変調素子は、
偏光または光の散乱により画像情報光を制御する液晶パネルを光変調手段とすることを特徴とする請求項５記載の画像表示装置。
【請求項８】
ランプリフレクターの非球面反射面は複数の微小ミラーを有し、
上記各微小ミラーは、各放射方向毎の光線群を、当該各光線群が集光する上記非球面レンズ面の集光点へそれぞれ反射することを特徴とする請求項１記載のランプ。
【手続補正書】
【提出日】平成20年3月28日(2008.3.28)
【手続補正１】
【補正対象書類名】明細書
【補正対象項目名】請求項４
【補正方法】変更
【補正の内容】
【請求項４】  請求項１記載の光ディスク原盤の製造方法において、原盤ガラス上に無機酸化物薄膜を形成したものをガラス原盤として使用し、現像されたフォトレジスト層にイオンを照射した後に、残留したフォトレジストをマスクとしてＣＨＦ系ガスにより、前記無機酸化物薄膜を反応性イオンエッチングを行うことで、ガラス原盤上に微細パターンを形成する工程を含む光ディスク原盤の製造方法。
【手続補正２】
【補正対象書類名】明細書
【補正対象項目名】請求項５
【補正方法】変更
【補正の内容】
【請求項５】  請求項４記載の光ディスク原盤の製造方法において、原盤ガラス上に形成した無機酸化物薄膜は、原盤ガラスと材質が異なり、少なくとも１層以上成膜することを特徴とする光ディスク原盤の製造方法。
【手続補正３】
【補正対象書類名】明細書
【補正対象項目名】０００１
【補正方法】変更
【補正の内容】
【０００１】
【発明の属する技術分野】
本発明は光ディスク、特に高密度記録用光ディスク製造用の光ディスク原盤及びスタンパーの製造方法に関するものである。
【手続補正書】
【提出日】平成20年1月24日(2008.1.24)
【手続補正１】
【補正対象書類名】明細書
【補正対象項目名】特許請求の範囲
【補正方法】変更
【補正の内容】
【特許請求の範囲】
【請求項１】  タービンの一段の一部分を構成するタービン静翼セグメントであって、
相隔たる内壁（１４）及び外壁（１２）と、
内壁と外壁との間に延在し前縁（１８）と後縁（２０）とを有するタービン静翼（１０）であって、前縁と後縁との間にあって該静翼の長さ方向に延在する複数の別個の空洞（４２，４４，４６，４８，５０，５２，５４）を含み、これにより冷却媒体が該静翼を貫通している実質的に閉じた回路内を流れるようなタービン静翼（１０）と、
内壁にその内面と離間して装着されたインピンジメント板（７４）であって、内壁のインピンジメント冷却のために冷却媒体を通し得る複数の開口を有するインピンジメント板（７４）と、
内壁に装着され内面から隔てられた内側カバープレート（７６）であって、該カバープレートと内壁との間にインピンジメント板が存在し、これによりインピンジメント板と該カバープレートとの間の内壁のプレナム（７３）と、インピンジメント板と内面との間のインピンジメント間隙とを画成している内側カバープレート（７６）とを備え、
静翼の空洞の少なくとも一つ（４２，５２，５４）が静翼の開口を介して内壁のプレナムと連通して、少なくとも一つの空洞からプレナム内へと冷却媒体が通流でき、
また、少なくとも一つの空洞を出る冷却媒体流をプレナム内に導くとともに少なくとも開口の周囲近辺のインピンジメント板（７４）の一部分を流出流体から実質的に遮蔽するための延長構造体（１０４，１９４，１９６）を備えているタービン静翼セグメント。
【請求項２】  フラッシュリブボス（９８）が、少なくとも一つの空洞（４２，５２，５４）の半径方向内端における静翼（１０）と内壁（１４）の少なくとも一方とインピンジメント板（７４）との継目に形成されている、請求項１記載のタービン静翼セグメント。
【請求項３】  前記延長構造体（１０４）が前記フラッシュリブボス（９８）と一体に形成されている、請求項２記載のタービン静翼セグメント。
【請求項４】  挿入スリーブ（５８，６０，６２）が少なくとも一つの空洞内に配置され、かつ静翼の内壁から隔てられて該内壁との間に間隙（Ｃ）を画成し、挿入スリーブは冷却媒体を挿入スリーブ内に流すための入口を有し、挿入スリーブはそれを貫通している複数の開口を有し、開口により冷却媒体がスリーブを通って間隙に入り静翼の内壁面に衝突する、請求項１記載のタービン静翼セグメント。
【請求項５】  静翼の長さに沿って相隔たる位置において内壁面の内方に突出している複数の空洞リブ（９４，９６）をさらに含み、挿入スリーブはリブと係合して、静翼に沿って相隔たる位置において挿入スリーブと静翼の内壁面との間に間隙（Ｃ）を画成している、請求項４記載のタービン静翼セグメント。
【請求項６】  前記挿入スリーブ（５８，６０，６２）と静翼の内壁面とが、両者の間に静翼の側壁に沿って流路を画成し、この流路は間隙と連通して、間隙に流入する冷却媒体を受入れる、請求項４記載のタービン静翼セグメント。
【請求項７】  前記挿入スリーブ（５８，６０，６２）が、その半径方向内端における少なくとも一つの出口流方向づけフィン（９４，９６）をさらに含む、請求項４記載のタービン静翼セグメント。
【請求項８】  前記外壁（１２）によって画成される少なくとも一つの冷却媒体プレナム（３２）と、冷却媒体を外壁のプレナム（３２）内に通し得る冷却媒体入口（２２）とをさらに備えており、
静翼が、外壁のプレナムを空洞の少なくとも一つと連通させて該プレナムと該空洞との間で冷却媒体が通流できるようにする第１開口と、該空洞を内壁の冷却媒体プレナムと連通させる第２開口と、内壁の冷却媒体プレナムを少なくとも他の一つの空洞と連通させる第３開口とを有していて、外壁の冷却媒体プレナムと、該空洞と、内壁の冷却媒体プレナムと、前記他の一つの空洞との間の実質的に閉じた回路内で冷却媒体が通流できる、請求項１記載の静翼セグメント。
【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】高圧電源部、高圧電源部で発生する高電圧が供給される定電流回路、粒子を含む検体試料が通過可能なアパーチャに前記定電流回路からの一定電流が供給される抵抗式粒子検出器を有し、粒子が前記アパーチャを通過したときの電気インピーダンス変化から粒子を計数する抵抗式粒子計数装置であって、高圧電源部にはコッククロフト方式電源が用いられることを特徴とする抵抗式粒子計数装置。
【請求項２】コッククロフト方式電源は、発振部と、直流入力電圧を前記発振部から送られてくるスイッチング周波数に同期して断続的に出力するスイッチング回路部と、スイッチング回路部の出力電圧を昇圧する昇電圧部とからなり、前記スイッチング周波数が５０〜１０００ｋＨｚであることを特徴とする請求項１に記載の抵抗式粒子計数装置。
【請求項３】 高圧電源部は冷却装置を搭載していないことを特徴とする請求項１に記載の抵抗式粒子計数装置。
【請求項４】試薬を用いて検体試料を調製する流体制御部と、交流電力を直流電力に変換する電源部とをさらに備え、高圧電源部は電源部から直流電力が供給されることで高電圧を発生させるとともに、流体制御部は電源部から供給される直流電力を用いて検体試料を調製する請求項１に記載の抵抗式粒子計数装置。
【手続補正書】
【提出日】平成20年9月2日(2008.9.2)
【手続補正１】
【補正対象書類名】明細書
【補正対象項目名】特許請求の範囲
【補正方法】変更
【補正の内容】
【特許請求の範囲】
【請求項１】 一部に開口を有して分析装置本体を収容するハウジングと、開口を開閉する扉と、開口内部に垂直に立設され検体容器を収容するための検体ラックと、扉を開いた時に扉と連動して検体ラックを開口に向かって傾斜させ扉を閉じた時に扉と連動して検体ラックを垂直状態に戻す扉開閉機構と、検体ラックに収容した検体容器を弾性的に保持する弾性部材と、その検体容器から血液試料を採取して血液試料を分析する血液分析部を備える自動血液分析装置。
【請求項２】 検体ラックが検体容器の外径より大きい内径を有して検体容器の下端を収容し、弾性部材は収容された検体容器の側面を両側から弾性的に挟持して検体容器を検体ラックと同軸に保持する第１および第２弾性部材からなる請求項１記載の自動血液分析装置。
【請求項３】扉開閉機構は、扉が開くとき第１弾性部材を第２弾性部材から離れる方向に扉と連動して移動させ、扉が閉じるとき第１弾性部材を第２弾性部材に近づく方向に扉と連動して移動させるように構成されている請求項２記載の自動血液分析装置。
【請求項４】扉開閉機構は、扉を回動可能に支持する支軸を備え、扉は、開口を開閉する開閉部と、検体ラックの底部を支持する支持部とを備え、支軸を中心に扉が回動すると、開閉部および支持部の移動に連動して検体ラックが移動する請求項１記載の自動血液分析装置。
【請求項５】扉開閉機構は、扉を開く方向に付勢する付勢部材と、その付勢力に対抗して扉に離脱可能に係止する押しボタンを備える請求項１記載の自動血液分析装置。
【請求項６】第１および第２弾性部材は、検体容器を挟持するための切欠きを有する請求項２記載の自動血液分析装置。
【請求項７】第１および第２弾性部材は屈曲部を有し、扉が閉じられたときに検体容器によってそれぞれの屈曲部の屈曲角度が変化するように配置されている請求項２記載の自動血液分析装置。
【請求項８】 検体容器の外径より大きい内径を有し検体容器の下端を収容する検体ラックと、収容された検体容器の側面を両側から弾性的に挟持して検体容器を検体ラックと同軸に保持する第１および第２弾性部材からなる検体容器設置装置。
【手続補正２】
【補正対象書類名】明細書
【補正対象項目名】０００７
【補正方法】変更
【補正の内容】
【０００７】
【課題を解決するための手段】
この発明は、上記課題の少なくとも１つを解決するために、一部に開口を有して分析装置本体を収容するハウジングと、開口を開閉する扉と、開口内部に垂直に立設され検体容器を収容するための検体ラックと、扉を開いた時に扉と連動して検体ラックを開口に向かって傾斜させ扉を閉じた時に扉と連動して検体ラックを垂直状態に戻す扉開閉機構と、検体ラックに収容した検体容器を弾性的に保持する弾性部材と、その検体容器から血液試料を採取して血液試料を分析する血液分析部を備える自動血液分析装置を提供するものである。
【手続補正３】
【補正対象書類名】明細書
【補正対象項目名】０００８
【補正方法】変更
【補正の内容】
【０００８】
検体ラックが検体容器の外径より大きい内径を有して検体容器の下端を収容し、弾性部材は収容された検体容器の側面を両側から弾性的に挟持して検体容器を検体ラックと同軸に保持する第１および第２弾性部材から構成されてもよい。扉開閉機構は、扉が開くとき第１弾性部材を第２弾性部材から離れる方向に扉と連動して移動させ、扉が閉じるとき第１弾性部材を第２弾性部材に近づく方向に扉と連動して移動させるように構成されていてもよい。扉開閉機構は、扉を回動可能に支持する支軸を備え、扉は、開口を開閉する開閉部と、検体ラックの底部を支持する支持部とを備え、支軸を中心に扉が回動すると、開閉部および支持部の移動に連動して検体ラックが移動してもよい。扉開閉機構は、扉を開く方向に付勢する付勢部材と、その付勢力に対抗して扉に離脱可能に係止する押しボタンを備えてもよい。第１および第２弾性部材は、検体容器を挟持するための切欠きを有してもよい。第１および第２弾性部材は屈曲部を有し、扉が閉じられたときに検体容器によってそれぞれの屈曲部の屈曲角度が変化するように配置されていてもよい。
【手続補正書】
【提出日】平成20年9月2日(2008.9.2)
【手続補正１】
【補正対象書類名】明細書
【補正対象項目名】特許請求の範囲
【補正方法】変更
【補正の内容】
【特許請求の範囲】
【請求項１】 一部に開口を有して分析装置本体を収容するハウジングと、開口を開閉する扉と、開口内部に垂直に立設され検体容器を収容するための検体ラックと、扉を開いた時に扉と連動して検体ラックを開口に向かって傾斜させ扉を閉じた時に扉と連動して検体ラックを垂直状態に戻す扉開閉機構と、ピペットを所定位置に存在する検体容器まで移動させて検体容器中の血液試料を吸引させた後、ピペットを他の所定位置に存在する開放容器まで移動させて血液試料を吐出させるピペット駆動装置と、ピペット駆動装置が検体ラックの上方からピペットを検体容器内へ挿入する時に扉が開かないように扉をロックするロック装置と、開放容器内の血液試料を分析する血液分析部とを備えた自動血液分析装置。
【請求項２】 ピペット駆動装置が検体容器にピペットを挿入するピペット垂直駆動部を備え、ロック装置が主アームからピペットと平行に垂下するロック棒と、ピペットの検体容器への挿入時にロック棒が挿入される係止孔を有して扉の内面に設けられた突出片からなる請求項１記載の自動血液分析装置。
【請求項３】 移動可能に支持され検体容器を収容するための検体ラックと、収容された検体容器にピペットが挿入されるとき、ピペット挿入動作に連動して検体ラックの移動を機械的に阻止するロック部材を備えた検体ラック用ロック装置。
【請求項４】 ピペットを移動させるピペット移動部を備え、ロック部材は、ピペット移動部によるピペットの移動に連動して移動するように構成されており、ピペット移動部がピペットを移動させることにより、検体容器にピペットが挿入されるとともに、検体ラックの移動を機械的に阻止する請求項３記載の検体ラック用ロック装置。
【請求項５】 ピペットとロック部材とを支持するアームを備え、ピペット移動部は、アームを介してロック部材をピペットと連動して移動させる請求項４記載の検体ラック用ロック装置。
【請求項６】 ピペット移動部がピペットを下降させることにより、検体ラックの移動を機械的に阻止し、ピペット移動部がピペットを上昇させることにより、検体ラックの移動を許容する請求項４記載の検体ラック用ロック装置。
【手続補正２】
【補正対象書類名】明細書
【補正対象項目名】０００７
【補正方法】変更
【補正の内容】
【０００７】
【課題を解決するための手段】この発明は、上記課題の少なくとも１つを解決するために、一部に開口を有して分析装置本体を収容するハウジングと、開口を開閉する扉と、開口内部に垂直に立設され検体容器を収容するための検体ラックと、扉を開いた時に扉と連動して検体ラックを開口に向かって傾斜させ扉を閉じた時に扉と連動して検体ラックを垂直状態に戻す扉開閉機構と、ピペットを所定位置に存在する検体容器まで移動させて検体容器中の血液試料を吸引させた後、ピペットを他の所定位置に存在する開放容器まで移動させて血液試料を吐出させるピペット駆動装置と、ピペット駆動装置が検体ラックの上方からピペットを検体容器内へ挿入する時に扉が開かないように扉をロックするロック装置と、開放容器内の血液試料を分析する血液分析部とを備えた自動血液分析装置を提供するものである。